(57)【要約】      （修正有）【課題】導電性塵埃あるいは腐食性ガス等が存在する悪環境下で使用しても、その影響を受けない印刷回路の配置方法を提供する。【解決手段】高密度実装された操作パネル用印刷回路１をその周囲の空気と遮蔽する為，操作パネル用印刷回路１の全周囲を覆う構造物として，一体成形された樹脂製の構造物２と，装置に収容する他の印刷回路４を利用して直方体の容器を形成し，操作パネル用印刷回路１をその中に収納する。印刷回路固定用部材２の直方体形状の内法寸法は、操作パネル用印刷回路１の寸法をわずかに上回る寸法とし、印刷回路固定用部材２の襟状の板９の内側には、数ヶ所の移動止め１１を成形する。また、移動止め１１の周囲に切り込み１４を設け、移動止め１１をわずかに動かせるようにする。【選択図】図１
2005329429.tif 000002
【特許請求の範囲】
【請求項１】
装置前面の操作パネルに操作・表示器具を有し，前記の操作・表示器具は一枚の印刷回路に装着され，前記の印刷回路は操作パネルの裏面部に固定される溶接機用電源装置の操作パネル用印刷回路の配置において，前記の印刷回路を密閉した容器に収納することを特徴とする，溶接機用電源装置操作パネル用印刷回路の配置方法。
【請求項２】
請求項１の操作パネル用印刷回路の配置方法の密閉容器の構成において，密閉容器は直方体形状の五面を樹脂製の一体成形物とし，残る一面を装置に収容する他の印刷回路を利用して形成することを特徴とする，溶接機用電源装置操作パネル用印刷回路の配置方法。
【請求項３】
請求項１，２の操作パネル用印刷回路の配置方法において，密閉容器の内法寸法を前記の印刷回路の寸法をわずかに上回る寸法とし，又容器の定位置へ前記の印刷回路を配置したとき，配置された印刷回路が容器の開放側への移動を妨げる爪を容器の内側に設けた形状で容器を成形することにより，印刷回路周囲の移動余裕の寸法を極力小さくし，印刷回路を固定することを特徴とする，溶接機用電源装置操作用印刷回路の配置方法。
【発明の詳細な説明】
【技術分野】
【０００１】
本発明は，溶接機用等の電源装置における印刷回路の配置方法に関するものである。
【背景技術】
【０００２】
溶接機用電源装置においては，装置外周の操作面に装置を操作するために，例えば図４に示すような操作パネル７を構成している。  この操作パネル７には，出力を設定する為の各種設定器２０，運転モードを選択する為のスイッチ類２１，運転状態を監視する為の表示灯２２・計器２３等の表示器が設けられている。  これらの多数の操作・表示器具１３は，一枚の印刷回路基板に取付けられてあり，この印刷回路は例えば印刷導体相互の間隔が０．５ｍｍ未満であるような高密度実装をされている。  この高密度実装された操作パネル用印刷回路を前記の操作パネルの裏面側に固定し，操作パネルの一部を開孔することにより，装置外部からの操作と目視確認を可能にしている。
【０００３】
従来の高密度実装された操作パネル用印刷回路の配置方法について，図３を用いて詳しく説明する。  前記の高密度実装された操作パネル用印刷回路１は，スペーサ８を用いて操作パネル７との間に空間を保った状態で操作パネル７の裏面に固定される。  この操作パネル７をケース５に埋め込み，固定している。  操作パネル７は金属製の板６と樹脂製の表示シート３を，金属製の板６の前面側に貼り合わせて構成している。  操作パネル７の金属製の板６はその一部を開孔し，又金属製の板６の前面に貼ってある表示シート３も必要である場合は一部を開孔することにより，前記の操作パネル用印刷回路１に装着された操作・表示器具１３に対して，装置外部からの操作と目視による確認を可能にしている。
【０００４】
図にて説明はしていないが，電源装置は装置内部を冷却するため，自然通気あるいは冷却ファンを使用して装置内へ周囲の空気を取り入れてあり，前記の高密度実装された操作パネル用印刷回路１はその前面側・裏面側ともに装置内の空気にさらされている。
【０００５】
ここで，溶接機用電源装置が導電性塵埃あるいは腐食性ガス等が存在するような悪環境下において使用される場合，印刷回路がその周囲の空気の特性の影響を受ける場合がある。  特に前記の操作パネル用印刷回路１は高密度実装であることから，一般の印刷回路よりも影響を受け易く，操作パネル用印刷回路１に導電性塵埃の付着による絶縁性能の低下，あるいは実装部品・印刷導体に腐食性ガスによる腐食が生じ，電源装置に支障を来すことがある。  この為，高密度実装された操作パネル用印刷回路１に対しては，その周囲を覆い，周囲の空気から防護し，その影響を避けることが求められる。
【特許文献１】特開２００３−１３６２４１号公報
【発明の開示】
【発明が解決しようとする課題】
【０００６】
解決しようとする問題点は，溶接機用電源装置を導電性塵埃あるいは腐食性ガスが存在する悪環境下で使用した場合，操作パネル用の印刷回路が高密度実装であることから，前記の印刷回路に絶縁性能の低下あるいは腐食による故障が生じ易い点である。
【課題を解決するための手段】
【０００７】
本発明は，操作パネル用印刷回路を周囲の環境から防護する為の遮蔽構造物の一部として，電源装置内で用いる他の印刷回路を利用することを最も主要な特徴とする。
【発明の効果】
【０００８】
本発明の，操作パネル用印刷回路の配置方法は，前記の印刷回路を完全にその周囲の空気から遮蔽する為，導電性塵埃あるいは腐食性ガスが存在するような悪環境下で電源装置を使用しても，その影響を受けない。  又，前記の印刷回路に対する防護用遮蔽構造物の一部として，電源装置に収容する他の印刷回路を利用している為，印刷回路の配置構造をコンパクトにまとめることができる。
【発明を実施するための最良の形態】
【０００９】
導電性塵埃あるいは腐食性ガスが存在するような悪環境下で，溶接機用電源装置を使用した場合に，前記の電源装置内の高密度実装された操作パネル用印刷回路を，悪環境の影響による絶縁性能の低下あるいは腐食から防護するために，前記の操作パネル用印刷回路を周囲の空気から遮蔽するという目的を，少しの部材の追加と装置に収容される他の印刷回路と組み合わせ配置することにより，簡単に実現した。
【実施例１】
【００１０】
図１・図２は本発明の１実施例を示す。  図１・図２において，本発明の高密度実装された操作パネル用印刷回路１の配置は，操作パネル７と印刷回路固定用部材２と他の印刷回路４とから構成されている。
【００１１】
印刷回路固定用部材２は，前面側に平板９を有し，その平板９の裏面側に上下及び両側面の四方に，襟状の板１０を周回して立て，額縁状とし，裏面側を開放した直方体を形成し，樹脂で一体成形される。
【００１２】
操作パネル７は，前記の印刷回路固定用部材の平板９と平板９の前面に貼り合わせた表示シート３で構成される。
【００１３】
操作パネル用印刷回路１は，前記の印刷回路固定用部材２の内部で前記の部材の平板９の裏面部へ配置する。  操作パネル用印刷回路１が前記の部材の平板９の裏面部でずれあるいは移動することを抑制する為，印刷回路固定用部材２の直方体形状の内法寸法は，操作パネル用印刷回路１の寸法をわずかに上回る寸法とし，又，印刷回路固定用部材２の襟状の板９の内側には，数ヶ所の移動止め１１を成形する。  移動止め１１を設ける位置は，操作パネル用印刷回路１の動きを抑え，極力印刷回路固定用部材の平板９へ密着させるような位置とする。  又，前記の印刷回路１を印刷回路固定用部材２の所定位置への着脱を可能とする為に，印刷回路固定用部材２は移動止め１１の周囲に切り込み１４を設け，移動止め１１をわずかに動かせるようにする。  これらにより，操作パネル用印刷回路１はねじ・接着剤等の固定するための部材を用いることなく，印刷回路固定用部材２に固定する事ができる。
【００１４】
印刷回路固定用部材２の裏面側の開放部には，電源装置へ収容する他の印刷回路４を用いて，開放部を塞ぐように取付ける。  取付ける方法としては，印刷回路固定用部材の襟状板１０の一部を大きくしてねじ孔１５を開け，取付ける。  あるいは，印刷回路固定用部材の平板９の数ヶ所にねじ孔１５を開けたスペーサ８を成形し，取り付ける。  又，両印刷回路１，４をコネクタ１２同士で接続し，これにより固定することも可能である。  他の印刷回路４を取付けることにより，操作パネル用印刷回路１は全周囲を覆われ，周囲の空気から遮蔽される。
【００１５】
操作パネル用印刷回路１を組み込み，裏面側に他の印刷回路４を取付け，表面に表示シート３を貼り合わせた印刷回路固定用部材２は，ケース５に埋め込み，固定する。
【００１６】
印刷回路固定用部材の平板９は一部を開孔し，又平板９の前面に貼ってある表示シート３も必要である場合は一部を開孔することにより，操作パネル用印刷回路１に装着された操作・表示器具１３に対して，装置外部からの操作と目視による確認を可能にしている。
【００１７】
このように，高密度実装された操作パネル用印刷回路１の周囲を覆う構造にした為，前記の操作パネル用印刷回路１は周囲の空気から遮閉され，防護される。更には，印刷回路同士１，４をコネクタ１２で直結し，その配置をコンパクトにまとめることができた。
【００１８】
本説明では，印刷回路固定用部材２の開放部を塞ぐ為に，他の印刷回路４を用いたが，同様の効果を得られるものであれば，開放部を塞ぐものとしては，印刷回路でなくとも良い。  例えば，部品取付け板でも良い。
【産業上の利用可能性】
【００１９】
操作・表示器具が一枚の印刷回路に装着される操作パネルを有する電源装置あるいは制御盤・操作盤で，導電性塵埃あるいは腐食性ガスが存在する悪環境下において使用される装置に適用できる。
【図面の簡単な説明】
【００２０】
【図１】本発明による高密度実装された操作パネル用印刷回路の配置方法を示す図
【図２】本発明による高密度実装された操作パネル用印刷回路の配置方法を示す断面図
【図３】従来の高密度実装された操作パネル用印刷回路の配置方法を示す断面図
【図４】操作パネルのレイアウトを示す図
【符号の説明】
【００２１】
１    操作パネル用印刷回路
２    印刷回路固定用部材
３    表示シート
４    他の印刷回路
５    ケース
６    金属製の板
７    操作パネル
８    スペーサ
９    印刷回路固定用部材の平板
１０  印刷回路固定用部材の襟状板
１１  移動止め
１２  コネクタ
１３  操作・表示器具
１４  切り込み
１５  ねじ孔
２０  設定器
２１  スイッチ
２２  表示灯
２３  計器
【図１】
2005329429.tif 000003
【図２】
2005329429.tif 000004
【図３】
2005329429.tif 000005
【図４】
2005329429.tif 000006